(57)【特許請求の範囲】
【請求項１】
土台，梁などの横架材とこの横架材に立設する柱材とに連通状態に設けたホゾ孔に挿入配設し、前記横架材と前記柱材とを連結する棒状に構成した柱連結用ホゾ金具であって、前記ホゾ孔に挿入される棒状の金具本体は、前記横架材及び前記柱材の外面より打設する係止体を貫通する貫通係止孔を複数設け、この貫通係止孔を設けた前記金具本体の金属製の芯材の外周を地震による前記柱材の揺れを吸収し得る厚さの柔軟性材で覆った構成としたことを特徴とする柱連結用ホゾ金具。
【請求項２】
前記芯材の外周に前記柔軟性材であるゴム材を被覆状態に設けた構成としたことを特徴とする請求項１記載の柱連結用ホゾ金具。
【請求項３】
前記金具本体は、前記横架材と前記柱材とに形成した前記ホゾ孔に埋設状態に配設される金属製パイプで前記芯材を構成し、この金属製パイプの所定位置を偏平状態にして前記所定の大きさの貫通係止孔を形成したことを特徴とする請求項１，２のいずれか１項に記載の柱連結用ホゾ金具。
【発明の詳細な説明】
【０００１】
【発明の属する技術分野】
本発明は、免震性能を有した柱連結用ホゾ金具に関するものである。
【０００２】
【従来の技術及び発明が解決しようとする課題】
例えば住宅を建設する場合、土台と柱とは棒状のホゾ金具で連結している。
【０００３】
このホゾ金具は、例えば土台の柱を立設する位置に取付孔（ホゾ孔）を設け、この取付孔（ホゾ孔）に棒状のホゾ金具を上部突出状態に埋設し、このホゾ金具を柱の底部に設けた取付孔（ホゾ孔）に挿入して柱を土台に立設し、土台と柱の外面から係止ピンを打設してホゾ金具に設けた貫通係止孔を貫通させ土台と柱とを強固に連結するものである。
【０００４】
一方、免震性・耐震性の高い建築物とするため、特別な免震装置を地下に設けたり、免震性を向上させる工法などの研究も進んでいるが、いずれも高価であり、複雑な工事を要する。
【０００５】
本発明は、前述したホゾ金具に着目し、これを改良することで特別な免震装置を設けることなく、また特別な工法や作業を要さず、単にホゾ金具により柱材を立設していく従来通りの施行によって、例えばすべての柱材が地震による揺れを吸収して高い免震性能・耐震性能を有する建築物を構築できる画期的な柱連結用ホゾ金具を提供することを目的としている。
【０００６】
【課題を解決するための手段】
添付図面を参照して本発明の要旨を説明する。
【０００７】
土台，梁などの横架材１とこの横架材１に立設する柱材２とに連通状態に設けたホゾ孔３に挿入配設し、前記横架材１と前記柱材２とを連結する棒状に構成した柱連結用ホゾ金具であって、前記ホゾ孔３に挿入される棒状の金具本体は、前記横架材１及び前記柱材２の外面より打設する係止体６を貫通する貫通係止孔７を複数設け、この貫通係止孔７を設けた前記金具本体の金属製の芯材の外周を地震による前記柱材２の揺れを吸収し得る厚さの柔軟性材５で覆った構成としたことを特徴とする柱連結用ホゾ金具に係るものである。
【０００８】
また、前記芯材４の外周に前記柔軟性材５であるゴム材５を被覆状態に設けた構成としたことを特徴とする請求項１記載の柱連結用ホゾ金具に係るものである。
【０００９】
また、前記金具本体は、前記横架材１と前記柱材２とに形成した前記ホゾ孔３に埋設状態に配設される金属製パイプで前記芯材４を構成し、この金属製パイプの所定位置を偏平状態にして前記所定の大きさの貫通係止孔７を形成したことを特徴とする請求項１，２のいずれか１項に記載の柱連結用ホゾ金具に係るものである。
【００１０】
【発明の実施の形態】
好適と考える本発明の実施の形態（発明をどのように実施するか）を、図面に基づいてその作用効果を示して簡単に説明する。
【００１１】
土台，梁などの横架材１と、それに立設する柱材２とに設けられたホゾ孔３に本発明の柱連結用ホゾ金具を挿入し、係止ピンを打設して貫通させることで横架材１と柱材２とを連結し、柱材２を立設する。
【００１２】
この本発明の柱連結用ホゾ金具は、従来のように単なる金属製のパイプ状金物ではなく、連結金具としての剛性を確保する芯材４に柔軟性材５（弾性材５）であるゴム材５を被覆した構成としているから、地震により横架材１や柱材２が様々な方向へ揺れる際、その柔軟性材５（弾性材５）であるゴム材５がクッションとなってこの柱材２の地震による揺れを吸収し、免震性能を発揮する。
【００１３】
即ち、柱連結用金具でありながら、耐震性能を発揮することとなる。
【００１４】
即ち、本発明は、このような構成のホゾ金具とすることで、従来の施行法通りにホゾ金具によって柱材２を連結していくだけで、何ら特別な作業工程を追加せずとも、何ら特別で大掛かりな免震装置を備えずとも、秀れた免震性及び耐震性を有する建築物を建設できることとなる。
【００１５】
しかも、すべての柱材２の連結部にこのホゾ金具が埋設され、このホゾ金具によって横架材１と連結されていることになるから、一つのホゾ金具のゴム材５による地震による揺れの吸収がたとえわずかであっても、すべての柱材２において地震による揺れを吸収できるため、極めて高い免震性能が従来通りの施行によって自動的に発揮されることとなる。
【００１６】
【実施例】
本発明の具体的な実施例について図面に基づいて説明する。
【００１７】
本実施例は、従来のホゾ金具よりやや径小なパイプ状金物を芯材４とし、この芯材４の略外周を地震による揺れを吸収できる厚みの柔軟性（揺れ吸収弾性）を有するゴム材５で被覆し従来と同寸法の表面ゴム材のパイプ状金物としている。
【００１８】
この芯材４としたパイプ状金物は、例えば土台１の上面に形成したホゾ孔３と、この土台１上面に立設する柱材２の底部に形成したホゾ孔３に挿通配設し、土台１及び柱材２の外面から打設する係止体６（係止ピン６）を貫通係止する貫通係止孔７を形成しているが、図１〜図３に示す第一実施例では、上下同方向に対向状態に貫通係止孔７を形成しており、図４〜図６に示す第二実施例では、上下互いに９０度異なる向きに形成している。
【００１９】
本実施例では、このようなパイプ状金物とした芯材４に所定厚のゴム材５を被覆して、前記ホゾ孔３に挿入配設する柱連結用ホゾ金具に構成している。
【００２０】
このゴム材５は、パイプ状に形成し、これに芯材４を圧入しても良いし、板状のゴム材５を丸め被覆止着しても良く、インサート成形により被覆形成しても良い。
【００２１】
また、本実施例では柔軟性材５としてゴム材５を採用したが、その材質選定及び厚みの選定は各柱材２をこの柱連結用ホゾ金具で土台１に連結して立設した場合、総じてこの建築物が十分に地震に耐え得る揺れ吸収性能を発揮するに十分な材質・厚み（柔軟性）となるように選定する。
【００２２】
また、本実施例では前述のように芯材４を金属製パイプとしているが、所定厚のゴム材５を被覆する分、従来のホゾ金具より細い径の金属製パイプを使用している。
【００２３】
そのため、前記係止ピン６を打設貫通する大きさの前記貫通係止孔７を形成しづらいため、本実施例では貫通係止孔７を形成する位置を偏平状態に潰し、この偏平部分８に貫通係止孔７を形成し、所定大きさの貫通係止孔７を容易に形成できるようにしている。
【００２４】
尚、この偏平部分８の一方向側ではゴム材５の厚みが薄くなるが、貫通係止孔７は上下端部寄りに形成するため、中央部では、前記地震による揺れを十分に吸収できる厚みのゴム材５が形成されているため、揺れ吸収性能には支障はない。
【００２５】
尚、本発明は、本実施例に限られるものではなく、各構成要件の具体的構成は適宜設計し得るものである。
【００２６】
【発明の効果】
本発明は上述のように構成したから、特別の免震装置を設けることなく、また特別な工法や作業を要さず、単にホゾ金具により柱材を立設していく従来通りの施行によって、例えばすべての柱材が地震による揺れを吸収して高い免震性能・耐震性能を有する建築物を構成できる画期的な柱連結用ホゾ金具となる。
【００２７】
即ち、従来のように単なる金属製のパイプ状金物ではなく、連結金具としての剛性を確保する芯材に柔軟性材を被覆した構成としているから各柱材が地震による揺れを吸収でき、簡易な構成で秀れた免震性能を有し、しかも従来の施行法通りにホゾ金具によって柱材を連結していくだけで、何ら特別な作業工程を追加せずとも、何ら特別で大掛かりな免震装置を備えずとも、秀れた免震性及び耐震性を有し、更にすべての柱材の連結部にこのホゾ金具が埋設され、このホゾ金具によって横架材と連結されていることになるから、一つのホゾ金具の柔軟性材による揺れ吸収がたとえわずかであっても、すべての柱材において地震による揺れを吸収できるため、極めて高い免震性能が従来通りの施行によって自動的に発揮されることとなる画期的なアイデアに基づく秀れた柱連結用ホゾ金具となるものである。
【００２８】
また、請求項２〜４記載の発明においては、簡易な構成で前記作用・効果が一層良好に発揮される極めて実用性に秀れた柱連結用ホゾ金具となる。
【図面の簡単な説明】
【図１】  第一実施例の説明正面図である。
【図２】  第一実施例の説明側面図である。
【図３】  第一実施例の使用状態を示す説明斜視図である。
【図４】  第二実施例の説明正面図である。
【図５】  第二実施例の説明側面図である。
【図６】  第二実施例の使用状態を示す説明斜視図である。
【符号の説明】
１  横架材（土台）
２  柱材
３  ホゾ孔
４  芯材
５  柔軟性材（ゴム材）
６  係止体（係止ピン）
７  係止孔
８  偏平部分
【図１】
0004709416.tif 000002
【図２】
0004709416.tif 000003
【図３】
0004709416.tif 000004
【図４】
0004709416.tif 000005
【図５】
0004709416.tif 000006
【図６】
0004709416.tif 000007